(57)【要約】  電動二輪車の故障診断を簡便かつ迅速に実現可能にする。電動二輪車は、ＩＣタグとホスト部を備えた電装ユニットを備えている。ホスト部はＩＣタグと通信可能であり、バッテリーから電装ユニットに電力が供給されている間に電装ユニットの故障情報を取得する。情報通信端末は、電動二輪車と非接触で通信することにより、故障情報を取得し、ネットワークを介してサーバに送信する。サーバは、故障情報に基づいて電動二輪車の故障診断を行う。
2015111395.tif 000002
【特許請求の範囲】
【請求項１】
電動二輪車と、
前記電動二輪車と非接触で通信するように構成された情報通信端末と、
前記情報通信端末とネットワークを介して通信するように構成されたサーバとを備え、
前記電動二輪車は、
電装ユニットと前記電装ユニットに電力を供給するように構成された電池とを備え、
前記電装ユニットは、ＩＣタグとホストコントローラとを備え、
前記ＩＣタグは、アンテナと非接触通信部と接触通信部と不揮発性記憶部とを備え、前記電動二輪車の外部から送信される電波を、前記アンテナを介して前記非接触通信部で受信することで電力供給を受けるように構成され、
前記ホストコントローラは前記接触通信部を介して前記ＩＣタグと通信するように構成され、前記電動二輪車に関する所定の情報を取得し、前記不揮発性記憶部に前記所定の情報を格納するように構成され、
前記情報通信端末は、前記電動二輪車と非接触で通信することにより、前記所定の情報を取得し、前記ネットワークを介して前記所定の情報を前記サーバに送信するように構成され、
前記サーバは、前記所定の情報に基づいて所定の処理を行う
電動二輪車用の情報処理システム。
【請求項２】
前記サーバは前記所定の処理の結果を前記情報通信端末に送信し、前記情報通信端末は前記所定の処理の結果に基づく情報を表示する
請求項１に記載の電動二輪車用の情報処理システム。
【請求項３】
前記所定の処理の結果に基づく情報には、電池の交換時期、走行距離、レスキュー要請の要否、走行履歴、走行パターンの分析、前記電動二輪車の故障箇所、故障内容、故障原因、修理方法、車両に関する情報の少なくともいずれか一つに関する情報が含まれる
請求項２に記載の電動二輪車用の情報処理システム。
【請求項４】
前記不揮発性記憶部には、前記電動二輪車を識別するように構成された車体識別と前記電装ユニットを識別するように構成されたユニット識別の少なくともいずれか一方が格納され、
前記情報通信端末は、前記電動二輪車と非接触で通信することにより、前記車体識別又は前記ユニット識別の少なくともいずれか一方を取得し、前記ネットワークを介して前記サーバに送信するように構成され、
前記サーバは、前記車体識別又は前記ユニット識別の少なくともいずれか一方と対応付けて前記所定の情報を前記サーバに格納する
請求項１に記載の電動二輪車用の情報処理システム。
【請求項５】
前記情報通信端末は前記ネットワークを介して前記情報通信端末の使用者を識別するように構成された使用者識別をサーバに送信するように構成され、
前記サーバは、前記使用者識別と対応付けて前記所定の情報を前記サーバに格納する
請求項１に記載の電動二輪車用の情報処理システム。
【請求項６】
前記情報通信端末は前記ネットワークを介して前記情報通信端末の使用者を識別するように構成された使用者識別をサーバに送信するように構成され、
前記サーバは、前記ネットワークを介して、前記使用者識別に対応付けられた他の情報通信端末に、前記所定の処理の結果とともに前記使用者識別を送信する
請求項１に記載の電動二輪車用の情報処理システム。
【請求項７】
前記情報通信端末は前記ネットワークを介して前記情報通信端末の使用者を識別するように構成された使用者識別と前記情報通信端末の位置を特定するように構成された位置情報をサーバに送信するように構成され、
前記サーバは、前記ネットワークを介して、前記位置情報に対応付けられた他の情報通信端末に、前記所定の処理の結果とともに前記使用者識別を送信する
請求項１に記載の電動二輪車用の情報処理システム。
【請求項８】
さらに、前記ネットワークを介して前記サーバと通信するように構成された他の情報通信端末を備え、
前記他の情報通信端末は前記ネットワークを介して前記他の情報通信端末の使用者の提供するサービスに関するサービス情報を前記サーバに送信するように構成され、
前記サーバは、前記所定の処理に応じて前記サービス情報を前記情報通信端末に送信する
請求項１に記載の電動二輪車用の情報処理システム。
【請求項９】
前記電池は、前記電装ユニットの内部に含まれる
請求項１に記載の電動二輪車用の情報処理システム。
【請求項１０】
前記電動二輪車は、さらに、前記電池から電力供給を受ける第２の電装ユニットを備え、
前記第２の電装ユニットは前記ホストコントローラと通信するように構成された第２のホストコントローラを備え、
前記第２のホストコントローラは前記電池から前記第２の電装ユニットに電力が供給されている間に前記第２の電装ユニットに関する第２の所定の情報を取得し、前記ホストコントローラを介して前記不揮発性記憶部に前記第２の所定の情報を格納するように構成され、
前記情報通信端末は、前記電動二輪車と非接触で通信することにより、前記第２の所定の情報を取得し、前記ネットワークを介して前記サーバに送信するように構成され、
前記サーバは、前記第２の所定の情報に基づいて前記電動二輪車の所定の処理を行う
請求項１に記載の電動二輪車用の情報処理システム。
【請求項１１】
請求項１乃至１０のいずれか１項に記載の電動二輪車用の情報処理システムであって、
前記所定の情報は、故障の情報であり、前記所定の処理は故障診断処理であり、前記情報処理システムは故障診断システムである
電動二輪車用の情報処理システム。
【請求項１２】
前記所定の情報は、故障の情報であり、前記所定の処理は故障診断処理であり、前記情報処理システムは故障診断システムであり、
前記サーバは前記故障診断処理の結果に応じて特定された、ソフトウェアプログラムを前記情報通信端末に送信し、前記情報通信端末は非接触通信を介して、前記電動二輪車に発生した故障を修復する
請求項１に記載の電動二輪車用の情報処理システム。
【請求項１３】
請求項１乃至１２のいずれか１項に記載の電動二輪車用の情報処理システムであって、
前記所定の情報は、前記電動二輪車が備えられている機器によって取得された情報である電動二輪車用の情報処理システム。
【請求項１４】
電装ユニットと前記電装ユニットに電力を供給するように構成された電池とを備える電動二輪車であって、
前記電装ユニットは、ＩＣタグとホストコントローラとを備え、
前記ＩＣタグは、アンテナと非接触通信部と接触通信部と不揮発性記憶部とを備え、外部から送信される電波を、前記アンテナを介して前記非接触通信部で受信することで電力供給を受けるように構成され、
前記ホストコントローラは前記接触通信部を介して前記ＩＣタグと通信するように構成され、前記ホストコントローラは前記電池から前記電装ユニットに電力が供給されている間に前記電動二輪車に関する所定の情報を取得し、前記不揮発性記憶部に前記所定の情報を格納するように構成された
電動二輪車。
【請求項１５】
電池によって電力供給するように構成された電装ユニットであって、
ＩＣタグとホストコントローラとを備え、
前記ＩＣタグは、アンテナと非接触通信部と接触通信部と不揮発性記憶部とを備え、外部から送信される電波を、前記アンテナを介して前記非接触通信部で受信することで電力供給を受けるように構成され、
前記ホストコントローラは前記接触通信部を介して前記ＩＣタグと通信するように構成され、前記ホストコントローラは前記電池から電力が供給されている間に前記電送ユニットに関する所定の情報を取得し、前記不揮発性記憶部に前記所定の情報を格納するように構成された
電装ユニット。
【請求項１６】
電動二輪車用の鍵であって、
ＩＣタグを備え、
前記ＩＣタグは、アンテナと非接触通信部と接触通信部と不揮発性記憶部とを備え、
前記ＩＣタグは、外部から送信される電波を、前記アンテナを介して前記非接触通信部で受信することで電力供給を受けるように構成され、電池によって電力供給を受けるように構成されたホストコントローラに内蔵された電装ユニットと前記接触通信部を介して通信するように構成され、
前記ホストコントローラは、前記電池から電力が供給されている間に前記電動二輪車に関する所定の情報を取得し、前記不揮発性記憶部に前記所定の情報を格納するように構成された
電動二輪車用の鍵。
【発明の詳細な説明】
【技術分野】
【０００１】
本発明は、電動二輪車用の情報処理システムに関し、特に、電動二輪車の故障診断に好適な情報処理システムに関する。
【背景技術】
【０００２】
複数の電装品が接続される自転車用電装システムの診断装置が従来知られている（特許文献１参照）。従来の診断装置では、電力線通信を介して直列に接続された複数の電装品の終端の電装品と通信アダプタとを電力線通信で接続し、その通信アダプタと管理システムとをＵＳＢケーブルで接続した状態で、管理システムが各電装品の故障診断、その他各電装品に関する情報処理を実行する。
【先行技術文献】
【特許文献】
【０００３】
【特許文献１】特開２０１３−３２０２８号公報
【発明の概要】
【０００４】
従来の故障診断装置はパーソナルコンピュータ等の管理システムと通信アダプタをＵＳＢケーブルで有線接続する必要がある。そのため管理システムを診断対象の自転車用電装システムの所在する場所へ持ち込むか、その逆に自転車用電装システムを管理システムの所在する場所に持ち込む必要があり、準備に多大な工数を要し、迅速な故障診断、その他の情報処理を行うことができない。
【０００５】
またバッテリー（電池）が故障した場合、又はバッテリー残量が無くなった場合、自転車用電装システムの各電装品に電力が供給されないため、故障診断やその他の情報処理そのものを行うことができない。
【０００６】
そこで、本発明の一態様にかかる電動二輪車用の故障診断システムあるいは情報処理システムは、電動二輪車と、前記電動二輪車と非接触で通信するように構成された情報通信端末と、前記情報通信端末とネットワークを介して通信するように構成されたサーバとを備え、前記電動二輪車は、電装ユニットと前記電装ユニットに電力を供給するように構成された電池とを備え、前記電装ユニットは、ＩＣタグとホストコントローラとを備え、前記ＩＣタグは、アンテナと非接触通信部と接触通信部と不揮発性記憶部とを備え、前記電動二輪車の外部から送信される電波を、前記アンテナを介して前記非接触通信部で受信することで電力供給を受けるように構成され、前記ホストコントローラは前記接触通信部を介して前記ＩＣタグと通信するように構成され、前記電動二輪車に関する所定の情報を取得し、前記不揮発性記憶部に前記所定の情報を格納するように構成され、前記情報通信端末は、前記電動二輪車と非接触で通信することにより、前記所定の情報を取得し、前記ネットワークを介して前記所定の情報を前記サーバに送信するように構成され、前記サーバは、前記所定の情報に基づいて所定の処理を行うように構成されている。
【０００７】
また、本発明の一態様にかかる電動二輪車は、電装ユニットと前記電装ユニットに電力を供給するように構成された電池とを備える電動二輪車であって、前記電装ユニットは、ＩＣタグとホストコントローラとを備え、前記ＩＣタグは、アンテナと非接触通信部と接触通信部と不揮発性記憶部とを備え、外部から送信される電波を、前記アンテナを介して前記非接触通信部で受信することで電力供給を受けるように構成され、前記ホストコントローラは前記接触通信部を介して前記ＩＣタグと通信するように構成され、前記ホストコントローラは前記電池から前記電装ユニットに電力が供給されている間に前記電動二輪車に関する所定の情報を取得し、前記不揮発性記憶部に前記所定の情報を格納するように構成されている。
【０００８】
また、本発明の一態様にかかる電装ユニットは、電池によって電力供給するように構成された電装ユニットであって、ＩＣタグとホストコントローラとを備え、前記ＩＣタグは、アンテナと非接触通信部と接触通信部と不揮発性記憶部とを備え、外部から送信される電波を、前記アンテナを介して前記非接触通信部で受信することで電力供給を受けるように構成され、前記ホストコントローラは前記接触通信部を介して前記ＩＣタグと通信するように構成され、前記ホストコントローラは前記電池から電力が供給されている間に前記電送ユニットに関する所定の情報を取得し、前記不揮発性記憶部に前記所定の情報を格納するように構成されている。
【０００９】
また、本発明の一態様にかかる電動二輪車用の鍵は、電動二輪車用の鍵であって、ＩＣタグを備え、前記ＩＣタグは、アンテナと非接触通信部と接触通信部と不揮発性記憶部とを備え、前記ＩＣタグは、外部から送信される電波を、前記アンテナを介して前記非接触通信部で受信することで電力供給を受けるように構成され、電池によって電力供給を受けるように構成されたホストコントローラに内蔵された電装ユニットと前記接触通信部を介して通信するように構成され、前記ホストコントローラは、前記電池から電力が供給されている間に前記電動二輪車に関する所定の情報を取得し、前記不揮発性記憶部に前記所定の情報を格納するように構成されている。
【００１０】
本発明の電動二輪車の故障診断システムによれば、故障診断又は情報処理対象の電動二輪車と情報通信端末の間で非接触通信することで、故障情報又は所定の情報を取得することができるので、簡便且つ迅速に電動二輪車の故障診断又は情報処理を行うことができる。
【００１１】
またバッテリーから電装ユニットに電力が供給されている間にその電装ユニットの故障情報又は所定の情報を取得し、不揮発性記憶部に格納し、外部からの電波によって供給される電力を用いて、不揮発性記憶部に格納された故障情報又は所定の情報を情報通信端末に送信可能である。これにより、バッテリーが故障した又はバッテリー残量がなくなった場合であっても、故障する又は残量がなくなる直前の故障情報又は所定の情報に基づいて、故障診断又は所定の情報処理を行うことができる。
【図面の簡単な説明】
【００１２】
【図１】図１は、システムの全体構成を示す図である。
【図２】図２は、電動二輪車及び情報通信端末の構成を示す図である。
【図３】図３は、ＩＣタグ及びホストコントローラの構成を示す図である。
【図４】図４は、サーバ、情報通信端末及び電動二輪車の格納情報を示す図である。
【図５】図５は、サーバ、情報通信端末及び電動二輪車の処理を示す図である。
【図６】図６は、電動二輪車の故障診断処理フローチャートである。
【図７】図７は、電動二輪車の情報処理フローチャートである。
【図８】図８は、電動二輪車、鍵及び情報通信端末の構成を示す図である。
【発明を実施するための形態】
【００１３】
［第一の実施形態］
以下、本発明の第一の実施形態について図１〜図５を用いて説明する。
【００１４】
（１）システムの全体構成
図１は本発明のシステムの全体構成を示す。本発明のシステムは、電動二輪車用の情報処理システム（ここでは、故障診断システム）であり、電動二輪車１００、情報通信端末２００、ネットワーク３００及びサーバ４００から構成される。つまり、本システムは、電動二輪車１００と、電動二輪車１００と非接触で通信するように構成された情報通信端末２００と、情報通信端末２００とネットワーク３００を介して通信するように構成されたサーバ４００とを備える。図２は、電動二輪車及び情報通信端末の構成を示す。図３は、ＩＣタグ及びホストコントローラの構成を示す。なお、サーバ４００、情報通信端末２００、電動二輪車１００に格納される情報及びそれらで行われる処理については、図４、図５に示す。
【００１５】
（電動二輪車）
電動二輪車１００は、電気モータを動力源とする車輪が２つある車両であればどのようなものであっても良い。なお、電気モータでのみ自走可能である必要はなく、電気モータは人力を補助する目的で使用されてもよい。
【００１６】
電動二輪車１００は図２に示すとおり、１つ又は複数の電装ユニット１２０と、バッテリー１３０からなる。電装ユニット１２０には例えば、バッテリーユニット、モーターユニット、手元スイッチユニットが含まれるがこれらに限定されない。バッテリー１３０は電装ユニット１２０の外部にあってもよく、電装ユニット１２０の内部にあってもよい。つまり、バッテリー１３０は、電装ユニット１２０の内部に含まれていてもよい。電装ユニット１２０の内部にある場合は、当該電装ユニット１２０はバッテリーユニットと称される。また加速度センサや衝撃センサがいずれかの電装ユニット１２０に含まれていても良い。
【００１７】
少なくとも一つの電装ユニット１２０には、図３に示すホスト部（ホストコントローラ）１４０と非接触ＩＦ付ＩＣタグ１５０（以降、ＩＣタグ）が含まれる。ＩＣタグ１５０が準拠する規格はいかなるものでもよく、例えば非接触インタフェース規格としてＩＳＯ／ＩＥＣ  １４４４３  Ｔｙｐｅ  Ａ、ＩＳＯ／ＩＥＣ  １４４４３  Ｔｙｐｅ  Ｂ、ＪＩＳＸ６３１９−４、ＩＳＯ／ＩＥＣ  ２１４８１、ＩＳＯ／ＩＥＣ  １８０９２に対応したものが含まれるが、これらに限定されない。
【００１８】
各電装ユニット１２０はそれぞれが相互に通信可能なように接続されており、その通信方式はいかなる方式に限定されるものではないが、例えばＩ２ＣやＵＡＲＴ仕様に沿って相互に通信が行われる。
【００１９】
電装ユニット１２０が複数ある場合には各電装ユニット１２０にＩＣタグ１５０があってもよく、一部の電装ユニット１２０にＩＣタグ１５０がなくても良い。ＩＣタグ１５０を有しない電装ユニット１２０は、ＩＣタグ１５０を有する電装ユニット１２０のホストコントローラと通信可能であり、ＩＣタグ１５０を有する電装ユニット１２０とＩＣタグ１５０を共有することができてもよい。
【００２０】
ＩＣタグ１５０は、非接触ＩＦ１５２と、ホストＩＦ１５４と、メモリ１５６と制御部１５８とを備える。非接触ＩＦ１５２は、外部の情報通信端末２００などのリーダライタと非接触通信を行うための通信インタフェースである。非接触ＩＦ１５２は、アンテナ１６０が接続され、外部の情報通信端末２００などのリーダライタとの通信処理を行う。
【００２１】
非接触ＩＦ１５２は、非接触通信部の一例であり、整流回路、復調回路、変調回路、クロック再生回路等のアナログ回路と、送受信データの符号化、フレーム検出／生成、ＣＲＣ（Ｃｙｃｌｉｃ  Ｒｅｄｕｎｄａｎｃｙ  Ｃｈｅｃｋ）回路等のデジタル回路と、送受信データを一時的に格納する送受信バッファなど（図示なし）を有する。
【００２２】
また、非接触ＩＦ１５２は、事前に定められた閾値よりも強い磁界の有無を検出し、検出結果を、ホストＩＦ１５４を介してホスト部１４０に通知する。非接触ＩＦ１５２は、電波を利用して情報通信端末２００などのリーダライタから駆動電力を取得している。電波の利用には電磁誘導方式が含まれるがこれに限定されない。電波の検出の通知を受けたホスト部１４０は、ＩＣタグ１５０へ電源電圧を供給してもよい。
【００２３】
ホストＩＦ１５４は、接触通信部の一例であり、ホスト部１４０と有線通信を行うための通信インタフェースである。ホストＩＦ１５４は、電源電圧ＶＤＤ、送信信号ＴＸ、及び、受信信号ＲＸの送信又は受信を行う通信用の線が接続され、ホスト部１４０との通信処理を行う。ホストＩＦ１５４は、入出力回路、通信プロトコル処理回路、及び、送受信バッファなどを有する（図示なし）。
【００２４】
メモリ１５６は、不揮発性記憶部の一例であり、ホスト部１４０と情報通信端末２００などのリーダライタとの通信においてデータを一時的に格納（記憶）するメモリであり、電源がオフしてもデータが消えない不揮発性メモリを用いて実装される。またメモリ１５６はＩＣタグ１５０に常時格納されるべきデータを記憶する目的で使用されてもよい。
【００２５】
非接触ＩＦ１５２は、情報通信端末２００から受信したデータ、または、送信するデータを一時的に格納する送受信バッファを有するが、メモリ１５６は、こうした送受信バッファとは異なり、情報通信端末２００からみて、ホスト部１４０のいわばプロキシとしての使用目的を有する。なお、メモリ１５６の使用目的は、必ずしもホスト部１４０のプロキシ、すなわちホストの代理としての使用目的に限定されない。ホスト部１４０は、ＩＣタグ１５０が備えるメモリ１５６を不揮発メモリとして使用してもよい。この場合、前述のように、メモリ１５６は、ＩＣタグ１５０に常時格納されるべきデータを記憶する。
【００２６】
制御部１５８は、ホスト部１４０及び情報通信端末２００等のリーダライタのいずれか一方から、他方へのデータアクセスを指示するためのコマンドを取得し、処理する。制御部１５８は、非接触ＩＦ１５２、ホストＩＦ１５４およびメモリ１５６に接続される。
【００２７】
制御部１５８は、少なくとも非接触通信モード、接触通信モードを有する。具体的には、制御部１５８は、情報通信端末２００等のリーダライタから取得したコマンドに指定されている通信モードを判定し、通信モードとして非接触通信モードが指定されていると判定した場合には、コマンドで指示されたデータアクセスをメモリ１５６に対して行い、メモリ１５６へのデータアクセスに対応するレスポンスである応答信号を情報通信端末２００等のリーダライタへ送信する。
【００２８】
また、通信モードとして接触通信モードとして判定した場合（すなわち、ホスト部１４０からホストＩＦ１５４を介してコマンドを取得した場合）には、データの読み出しを指示するコマンドを取得した場合には、メモリ１５６内の領域から、データの読み出しを行い、データの書き込みを指示するコマンドを取得した場合には、メモリ１５６内の所定の領域に対して、データの書き込みを行う。
【００２９】
制御部１５８はさらにトンネルモードを有してもよい。通信モードとしてトンネルモードが指定されていると判定した場合には、コマンドで指示されたデータアクセスをホスト部１４０に対して行い、ホスト部１４０へのデータアクセスに対応する応答信号であるレスポンスを情報通信端末２００等のリーダライタへ送信する。
【００３０】
このように、電装ユニット１２０は、ＩＣタグ１５０とホスト部１４０とを備える。ＩＣタグ１５０は、アンテナ１６０と非接触通信部（非接触ＩＦ１５２）と接触通信部（ホストＩＦ１５４）と不揮発性記憶部（メモリ１５６）とを備え、電動二輪車１００の外部から送信される電波を、アンテナ１６０を介して非接触ＩＦ１５２で受信することで電力供給を受けるように構成される。そして、ホスト部１４０はホストＩＦ１５４を介してＩＣタグ１５０と通信するように構成され、電動二輪車１００に関する所定の情報（例えば、電装ユニット１２０に関する故障情報）を取得し、メモリ１５６に所定の情報を格納する。
【００３１】
（情報通信端末）
情報通信端末２００はネットワーク３００を介してサーバ４００と情報通信が可能であれば、どのような形態でもよいが、好ましくはユーザが携帯可能な可搬型が望ましい。またネットワーク３００との通信方式についてもいかなる限定はなされないが、好ましくは無線方式、又は非接触方式での通信が望ましい。無線通信の方式はＮＦＣ、Ｗｉ−Ｆｉ、Ｂｌｕｅｔｏｏｔｈ（登録商標）等があるが限定はされない。情報通信端末２００は複数あってもよい。
【００３２】
また、情報通信端末２００は上記のＩＣタグ１５０と通信可能な非接触インタフェースを有し、ＩＣタグ１５０に対してリーダ／ライタとしての機能を有する。対応する非接触インタフェース規格としてＩＳＯ／ＩＥＣ  １４４４３  Ｔｙｐｅ  Ａ、ＩＳＯ／ＩＥＣ  １４４４３  Ｔｙｐｅ  Ｂ、ＪＩＳＸ６３１９−４、ＩＳＯ／ＩＥＣ  ２１４８１、ＩＳＯ／ＩＥＣ  １８０９２に対応したものが含まれるが、これらに限定されない。
【００３３】
情報通信端末２００には利用者に関する情報が格納される。情報通信端末２００の利用者は例えば、電動二輪車１００の購入者や電動二輪車１００の販売店などがある。電動二輪車１００の購入者の場合は、顧客ＩＤ（顧客識別）やＧＰＳ情報が格納される。電動二輪車１００の販売店の場合は、販売店ＩＤが格納される。
【００３４】
また情報通信端末２００が携帯電話、スマートフォン、タブレット端末等でソーシャルネットワークサービスを利用可能であれば、電動二輪車１００の購入者は写真画像、他人の提供する情報に対するコメント又は交流可否情報等を、電動二輪車１００の販売店は特売情報又はサイクリング情報等を、ネットワーク３００を介してサーバ４００や他の情報通信端末２００に送信可能である。
【００３５】
また情報通信端末２００は、電動二輪車１００と通信して、例えばライトの点灯、開施錠、走行モードの切り替えなどの電動二輪車１００の操作が可能であってもよい。また、ディスプレイなどの表示手段を有し、電動二輪車１００やサーバ４００と通信を行って、故障内容、修理対応情報、走行速度、走行時間、走行距離などの車両情報、使用者の消費カロリー、販売店のサービス情報を表示することができる。また情報通信端末２００間でネットワーク３００を介さず、または他のネットワークを介して通信が可能である。これにより電動二輪車１００の販売店から電動二輪車１００の利用者へのレスキュー電話が可能となる。
【００３６】
（サーバ）
サーバ４００はネットワーク３００を介して情報通信端末２００と情報通信が可能であれば、どのような形態でもよい。また、サーバ４００には故障診断手段、修理対応判別手段、故障データ集計手段、情報格納手段、サービス情報処理手段、マップ表示処理手段、その他の情報処理手段が含まれる。
【００３７】
また情報格納手段には、故障情報（故障箇所、故障種類、集計したデータベース）、修理対応情報（修理方法、故障部品、部品発注手配）、顧客情報（年齢、性別、居住地、使用状況）、車両（製造履歴、故障履歴、交換履歴）、ユニット機器情報（製造履歴、故障履歴、交換履歴、交換時期）、販売店情報（連絡先、位置情報）、地図地形情報、駐輪場情報（位置、空き情報）、充電ポイントの位置（現在地からの距離）が格納される。
【００３８】
（ネットワーク）
サーバ４００となるコンピュータと、情報通信端末２００とを接続するものであればいかなる規模、トポロジー、接続方式、通信プロトコルであってもよく、例えばインターネットを含むがそれに限定されない。
【００３９】
（２）電動二輪車の使用時の動作
電動二輪車１００使用時は、各電装ユニット１２０はバッテリー１３０から電力が供給され、搭載されているマイクロコンピュータ等のホスト部１４０が起動し、各電装ユニット１２０の制御を行う。ＩＣタグ１５０とホストＩＦ１５４を介して通信し、走行時の電装ユニット制御内容、制御結果、故障情報、周辺環境の状態など電動二輪車１００に関わる情報を不揮発性記憶部に格納する。
【００４０】
不揮発性記憶部に格納される情報は、例えば、電動二輪車１００に関する所定の情報の一例である故障情報（パーツ名、故障種類）、周辺情報（時刻、気温、湿度）、車体ＩＤ情報、走行情報（スピード、距離、時間）、加速度センサ／衝撃センサ出力、電池情報（機器ＩＤ、電池寿命、消費電流履歴）、モータ情報（機器ＩＤ、アシスト比、回転数、トルク、ギア比）などであるが、これらに限定はされない。また、車体ＩＤ情報、機器ＩＤ情報は、予めＩＣタグ１５０の不揮発性記憶部に可能されてあっても良い。不揮発性記憶部に記憶された情報はバッテリー１３０の電池残量がなくなっても保持され続ける。
【００４１】
（３）故障診断処理
図６は、電動二輪車の故障診断処理フローチャートである。本実施形態の電動二輪車１００の故障診断システムにおける故障診断処理のフローは図６に示されており、以下のように行われる。
【００４２】
第１ステップとして、情報通信端末２００は、電動二輪車１００と非接触で通信することにより、所定の情報を取得する。具体的には、情報通信端末２００を用いて、非接触通信により、電動二輪車１００の電装ユニット１２０に含まれるＩＣタグ１５０の不揮発性記憶部から故障情報を読出し、情報通信端末２００に格納する。
【００４３】
第２ステップとして、情報通信端末２００は、電動二輪車１００と非接触で通信することによって電動二輪車１００に関する所定の情報を取得し、ネットワーク３００を介して所定の情報をサーバ４００に送信する。具体的には、情報通信端末２００を用いて、ネットワーク３００を用いた通信により、ＩＣタグ１５０の不揮発性記憶部から読出した故障情報をサーバ４００に送信する。ここで故障情報には、例えば故障パーツ名、故障種類を特定する情報が含まれるがこれらに限定されない。
【００４４】
第３ステップとして、サーバ４００は、所定の情報に基づいて所定の処理を行う。具体的には、サーバ４００は、送信されてきた故障情報に基づいて、所定の処理の一例である故障診断を行う。ここで故障診断では、例えば故障情報から故障箇所、故障内容、故障原因、修理方法の特定を行うがこれに限定されない。
【００４５】
これにより、パーソナルコンピュータ等の管理システムと有線接続することなく、準備に多大な工数を要せず、迅速な故障診断を行うことができる。またバッテリーが故障した、又はバッテリー残量が無くなった場合など、電動二輪車用電装システムの各電装品に電力が供給されない状況においても故障診断を行うことができる。電動二輪車に搭載可能なバッテリーは限られており、通常は予備のバッテリーを備えて走行することはない。つまり電動二輪車は限られた数のバッテリーへの依存度が高い。このような電動二輪車においては電装ユニット１２０に電力が供給されない状態、すなわち電装ユニット１２０の電源がオフとなっている状態で故障診断を行うことができるのは、電動二輪車の利用者にとって非常に有用である。
【００４６】
サーバ４００で実行された故障診断結果に基づいて、サーバ運営者から電動二輪車１００利用者の情報通信端末２００に連絡を行い、故障対応を直接行ってもよいが、さらに第４ステップとして、サーバ４００が故障診断結果（所定の処理の結果）を情報通信端末２００に送信し、第５ステップとして、情報通信端末２００がその表示部で故障診断結果を表示してもよい。つまり、サーバ４００は所定の処理の結果を情報通信端末２００に送信し、情報通信端末２００は所定の処理の結果に基づく情報を表示してもよい。所定の処理の結果に基づく情報には、電池の交換時期、走行距離、レスキュー要請の要否、走行履歴、走行パターンの分析、電動二輪車１００の故障箇所、故障内容、故障原因、修理方法、車両に関する情報の少なくともいずれか一つに関する情報が含まれる。
【００４７】
これにより、ユーザ若しくは電動二輪車販売店は、故障箇所、故障内容、故障原因、修理方法を情報通信端末２００（携帯電話、スマートフォン、タブレット端末を含む）のモニター画面で確認ができ、製造者又は修理業者への出張依頼や、製品持込を行うことなく、電動二輪車１００が現在ある場所で、修理を行うことができる。
【００４８】
また第４ステップとして、サーバ４００が故障診断結果に応じて特定されたソフトウェアプログラムを情報通信端末２００に送信し、第５ステップとして、情報通信端末２００が非接触通信を介して、ソフトウェアプログラムを電装システム内の不揮発性記憶部に書き込み、第６ステップで書き込まれたソフトウェアをホスト部１４０に転送し、第７ステップで故障を修復してもよい。つまり、所定の情報は、故障の情報であり、所定の処理は故障診断処理であり、情報処理システムは故障診断システムであり、サーバ４００は故障診断処理の結果に応じて特定された、ソフトウェアプログラムを情報通信端末２００に送信し、情報通信端末２００は非接触通信を介して、電動二輪車１００に発生した故障を修復してもよい。
【００４９】
これにより、ユーザ若しくは電動二輪車販売店は自動で故障の修理を行うことができる。
【００５０】
また、電動二輪車１００が、さらに、バッテリー１３０から電力供給を受ける第２の電装ユニットを備える場合には、次の処理が行われる。第２の電装ユニットはホストコントローラ（ホスト部１４０）と通信するように構成された第２のホストコントローラを備える。第２のホストコントローラは、バッテリー１３０から第２の電装ユニットに電力が供給されている間に第２の電装ユニットに関する第２の所定の情報（例えば、故障情報）を取得し、ホストコントローラを介して不揮発性記憶部（メモリ１５６）に第２の所定の情報を格納する。そして、情報通信端末２００は、電動二輪車１００と非接触で通信することにより、第２の所定の情報を取得し、ネットワーク３００を介してサーバ４００に送信する。サーバ４００は、第２の所定の情報に基づいて電動二輪車１００の所定の処理を行う。
【００５１】
本実施形態の故障診断処理は以下のように変形してもよい。
【００５２】
第１ステップとして、情報通信端末２００を用いて、非接触通信により、電動二輪車１００の電装ユニット１２０に含まれるＩＣタグ１５０の不揮発性記憶部から故障情報、車体ＩＤ情報又はユニットＩＤ情報を読出し、情報通信端末２００に一旦格納する。
【００５３】
第２ステップとして、情報通信端末２００を用いて、ネットワーク３００を用いた通信により、不揮発性記憶部に読込んだ故障情報、車体ＩＤ情報又はユニットＩＤ情報をサーバ４００に送信する。第３ステップとしてサーバ４００は、送信された故障情報に基づいて故障診断を行う。
【００５４】
第４ステップとしてサーバ４００は、車体ＩＤ又はユニットＩＤの少なくとも一方と対応付けて故障情報又は故障診断結果の少なくとも一方を記憶手段に格納する。
【００５５】
つまり、不揮発性記憶部には、電動二輪車１００を識別するように構成された車体識別と電装ユニット１２０を識別するように構成されたユニット識別の少なくともいずれか一方が格納され、情報通信端末２００は、電動二輪車１００と非接触で通信することにより、車体識別又はユニット識別の少なくともいずれか一方を取得し、ネットワーク３００を介してサーバ４００に送信する。そして、サーバ４００は、車体識別又はユニット識別の少なくともいずれか一方と対応付けて所定の情報をサーバ４００に格納する。
【００５６】
これにより、車体ごと又は電装ユニット１２０ごとの故障履歴を管理することができる。例えば故障頻度の高いユニット、箇所の統計データを早期に取得できる。電動二輪車製造者は今後の品質改善に活用することができる。また、故障履歴と製造履歴との照合・分析を行なうことにより、製造工程における不具合への的確な対策も可能となる。
【００５７】
なお、第２ステップでは、車体ＩＤ情報又はユニットＩＤ情報と共に情報通信端末２００の使用者を識別可能な使用者ＩＤをサーバ４００に送信してもよいし、車体ＩＤ情報又はユニットＩＤ情報に代えて、情報通信端末２００の使用者を識別可能な使用者ＩＤをサーバ４００に送信してもよい。
【００５８】
使用者ＩＤは使用者を一意に識別できればどのような情報でも良い。例えば情報通信端末２００が携帯電話であればその電話番号であってもよいが、これに限定されない。
【００５９】
この場合、第４ステップとしてサーバ４００は、使用者ＩＤと対応付けて故障情報又は故障診断結果の少なくとも一方を記憶手段に格納する。つまり、情報通信端末２００はネットワーク３００を介して情報通信端末２００の使用者を識別するように構成された使用者識別をサーバ４００に送信する。そして、サーバ４００は、使用者識別と対応付けて所定の情報をサーバ４００に格納する。
【００６０】
これにより、ユーザごとの故障履歴を管理することができる。過去の故障履歴、交換履歴を確認することで、ユーザ固有の故障の特徴を特定し、適切な処置を施すことができる。また年齢、性別、居住地、使用時間帯等のユーザ情報と合わせて分析することで、特定のユーザ層のユーザに適した製品を開発することができる。
【００６１】
情報通信端末２００に加えて複数の他の情報通信端末２００がネットワーク３００と接続されサーバ４００と通信可能である場合、本実施形態の故障診断処理はさらに以下のように変形してもよい。
【００６２】
第１ステップとして、情報通信端末２００を用いて、非接触通信により、電動二輪車１００の電装ユニット１２０に含まれるＩＣタグ１５０の不揮発性記憶部から故障情報を読出し、情報通信端末２００に一旦格納する。
【００６３】
第２ステップとして、情報通信端末２００を用いて、ネットワーク３００を用いた通信により、不揮発性記憶部に読込んだ故障情報と共に情報通信端末２００の使用者を識別可能な使用者ＩＤをサーバ４００に送信する。
【００６４】
第３ステップとしてサーバ４００は、送信された故障情報に基づいて故障診断を行う。第４ステップとしてサーバ４００は、ネットワーク３００を介して、複数の他の情報通信端末２００のうち、使用者ＩＤに対応付けられ他の情報通信端末２００に、前記故障情報又は故障診断結果とともに前記使用者ＩＤを送信する。
【００６５】
このように、情報通信端末２００はネットワーク３００を介して情報通信端末２００の使用者を識別するように構成された使用者識別をサーバ４００に送信する。そして、サーバ４００は、ネットワーク３００を介して、使用者識別に対応付けられた他の情報通信端末に、所定の処理の結果とともに使用者識別を送信する。
【００６６】
例えば他の情報通信端末２００が、電動二輪車販売者が使用しているものであれば、電動二輪車販売者は車体ＩＤごと又は使用者ごとの故障箇所、故障内容、故障原因、修理方法を知ることができる。電動二輪車が故障の際、販売者はタイムリーにその状況を把握でき、また、販売者から使用者に直接連絡を行うことができ商機を得ることができる。
【００６７】
また、使用者にとっては、特定の販売者に故障情報に提供でき、適切なサービスを迅速に受けることができる。
【００６８】
なお、第２ステップで、故障情報と共に情報通信端末２００の使用者を識別可能な使用者ＩＤと情報通信端末２００の位置を特定可能な位置情報をサーバ４００に送信し、第４ステップでサーバ４００は、ネットワーク３００を介して、複数の他の情報通信端末２００のうち、位置情報に対応付けられ他の情報通信端末２００に、前記故障情報又は故障診断結果とともに前記使用者ＩＤを送信してもよい。つまり、情報通信端末２００はネットワーク３００を介して情報通信端末２００の使用者を識別するように構成された使用者識別と情報通信端末２００の位置を特定するように構成された位置情報をサーバ４００に送信する。そして、サーバ４００は、ネットワーク３００を介して、位置情報に対応付けられた他の情報通信端末に、所定の処理の結果とともに使用者識別を送信してもよい。
【００６９】
例えば他の情報通信端末２００が、電動二輪車販売者が使用しているものであれば、近隣の使用者ごとの故障箇所、故障内容、故障原因、修理方法を知ることができる。電動二輪車１００が故障の際、販売者はタイムリーにその状況を把握でき、また、販売者から近隣の使用者に直接連絡を行うことができ商機を得ることができる。また、使用者にとっては、近隣の販売者に故障情報に提供でき、適切なサービスを迅速に受けることができる。
【００７０】
以上のように、本実施形態によれば、電動二輪車は、ＩＣタグとホスト部を備えた電装ユニットを備えている。ホスト部はＩＣタグと通信可能であり、バッテリーから電装ユニットに電力が供給されている間に電装ユニットの故障情報を取得する。情報通信端末は、電動二輪車と非接触で通信することにより、故障情報を取得し、ネットワークを介してサーバに送信する。サーバは、故障情報に基づいて電動二輪車の故障診断を行う。これにより、電動二輪車の故障診断が簡便かつ迅速に行われる。
【００７１】
［第二の実施形態］
以下、本発明の第二の実施形態について図７を用いて説明する。
【００７２】
システムの全体構成、電動二輪車１００の使用時の動作は第一の実施形態のシステムと同様である。
【００７３】
図７は、電動二輪車の情報処理フローチャートである。本願発明により電動二輪車１００の情報処理システムにおける情報処理は図７に示され、以下のように行われる。
【００７４】
第１ステップとして、情報通信端末２００を用いて、非接触通信により、電動二輪車１００の電装ユニット１２０に含まれるＩＣタグ１５０の不揮発性記憶部から所定の情報を読出し、情報通信端末２００に格納する。
【００７５】
第２ステップとして、情報通信端末２００を用いて、ネットワーク３００を用いた通信により、不揮発性記憶部に読込んだ所定の情報をサーバ４００に送信する。ここで所定の情報には、故障情報（パーツ名、故障種類）、周辺情報（時刻、気温、湿度）、車体ＩＤ情報、走行情報（スピード、距離、時間）、電動二輪車に備えられている加速度センサ／衝撃センサ出力、電動二輪車に備えられている電池の電池情報（機器ＩＤ、電池寿命、消費電流履歴）、電動二輪車に備えられているモータのモータ情報（機器ＩＤ、アシスト比、回転数、トルク、ギア比）などであるが、これらに限定はされない。
【００７６】
第３ステップとしてサーバ４００は、送信された所定の情報に基づいて所定の情報処理を行う。ここでの所定の情報処理とは、例えば、電池情報、走行情報からバッテリーの交換時期の推定行うこと、走行情報（スピード、時間）から走行距離の計算を行うこと、加速度センサ／衝撃センサ出力から、レスキュー要請の要否の判定を行うこと、モータ情報から走行履歴の算出を行うこと、消費電流履歴から走行パターンの分析を行うがこれらに限定はされない。これらの情報処理の結果は商品開発やマーケティングに活用することができる。
【００７７】
つまり、所定の情報は、前記電動二輪車が備えた機器によって取得された情報であってもよい。
【００７８】
さらに第４ステップとして、サーバ４００が所定の情報処理結果を情報通信端末２００に送信し、第５ステップとして、情報通信端末２００がその表示部で情報処理結果を表示してもよい。
【００７９】
表示される情報処理結果がバッテリー１３０の交換時期であれば、電動二輪車１００の使用者は計画的な走行計画を立てることができる。
【００８０】
また表示される情報処理結果が走行距離であれば、電動二輪車１００の外部にメータを取り付けることなく、走行距離を確認することができる。またこの走行距離は、電装ユニット１２０内部の情報に基づくものであり、改ざんをすることができず、常に正確な走行距離情報を知ることができる。正確な走行距離情報は中古品として売買を行う際の有益な情報となりうる。
【００８１】
また表示される情報処理結果がレスキューの要請の要否であれば、電動二輪車１００の使用者は自分のレスキューのための連絡が来ることを予め知ることができる。
【００８２】
また表示される情報処理結果が、走行履歴、走行パターンの分析結果であれば、電動二輪車１００の使用の仕方を客観的に知ることができ、電動二輪車１００の使用の仕方の改善につなげることができる。
【００８３】
また、表示される情報処理結果が、充電ポイントの位置（現在地からの距離）であれば、電動二輪車１００の使用者は走行可能距離やバッテリー１３０の残量に応じて安心して走行計画を立てることができる。
【００８４】
本実施形態の情報処理は以下のように変形してもよい。
【００８５】
第１ステップとして、情報通信端末２００を用いて、非接触通信により、電動二輪車１００の電装ユニット１２０に含まれるＩＣタグ１５０の不揮発性記憶部から所定の情報、車体ＩＤ情報又はユニットＩＤ情報を読出し、情報通信端末２００に一旦格納する。
【００８６】
第２ステップとして、情報通信端末２００を用いて、ネットワーク３００を用いた通信により、不揮発性記憶部に読込んだ所定の情報、車体ＩＤ情報又はユニットＩＤ情報をサーバ４００に送信する。
【００８７】
第３ステップとしてサーバ４００は、送信された所定の情報に基づいて所定の情報処理を行う。
【００８８】
第４ステップとしてサーバ４００は、車体ＩＤ又はユニットＩＤの少なくとも一方と対応付けて所定の情報処理の結果を記憶手段に格納する。
【００８９】
なお、第２ステップでは、車体ＩＤ情報又はユニットＩＤ情報と共に情報通信端末２００の使用者を識別可能な使用者ＩＤをサーバ４００に送信してもよい。または、車体ＩＤ情報又はユニットＩＤ情報に代えて情報通信端末２００の使用者を識別可能な使用者ＩＤをサーバ４００に送信してもよい。
【００９０】
使用者ＩＤは使用者を一意に識別できればどのような情報でも良い。例えば情報通信端末２００が携帯電話であればその電話番号であってもよいが、これに限定されない。
【００９１】
この場合、第４ステップとしてサーバ４００は、使用者ＩＤと対応付けて所定の情報処理結果を記憶手段に格納する。
【００９２】
これにより車体ＩＤ情報、ユニットＩＤ情報又は使用者ＩＤ情報と対応付けて、所定の情報処理結果を管理することができる。例えば、車体ＩＤごと又は顧客ごとにバッテリー１３０の交換頻度、走行距離、事故履歴、走行パターンを管理することができる。このような情報は電動二輪車製造者が今後開発すべき製品を決定するための有用な情報となりうる。
【００９３】
また、年齢、性別、居住地、使用時間帯等のユーザ情報と、その他のサーバ４００に格納された情報や情報処理結果とを合わせて分析することで、特定のユーザ層に適した製品開発やサービスの提供を行なうことができる。
【００９４】
情報通信端末２００に加えて複数の他の情報通信端末２００がネットワーク３００と接続されサーバ４００と通信可能である場合、本実施形態の情報処理はさらに以下のように変形してもよい。
【００９５】
第１ステップとして、情報通信端末２００を用いて、非接触通信により、電動二輪車１００の電装ユニット１２０に含まれるＩＣタグ１５０の不揮発性記憶部から所定の情報を読出し、情報通信端末２００に一旦格納する。
【００９６】
第２ステップとして、情報通信端末２００を用いて、ネットワーク３００を用いた通信により、不揮発性記憶部に読込んだ所定の情報と共に情報通信端末２００の使用者を識別可能な使用者ＩＤをサーバ４００に送信する。
【００９７】
第３ステップとしてサーバ４００は、送信された所定の情報に基づいて所定の情報処理を行う。
【００９８】
第４ステップとしてサーバ４００は、ネットワーク３００を介して、複数の他の情報通信端末２００のうち、使用者ＩＤに対応付けられ他の情報通信端末２００に、所定の情報処理の結果とともに前記使用者ＩＤを送信する。
【００９９】
例えば他の情報通信端末２００が、電動二輪車販売者が使用しているものであれば、電動二輪車販売者は車体ＩＤごと又は顧客ごとにバッテリー１３０の交換頻度、走行距離、事故履歴、走行パターンを知ることができる。このような情報は電動二輪車販売者が今後販売すべき製品、行うべきサービスを決定するための有用な情報となりうる。
【０１００】
また電動二輪車１００の利用者にとっては、上記の情報を特定の電動二輪車販売店に提供することで、適切なサービスを迅速に受けることができるようになる。
【０１０１】
なお、第２ステップで、所定の情報と共に情報通信端末２００の使用者を識別可能な使用者ＩＤと情報通信端末２００の位置を特定可能な位置情報をサーバ４００に送信し、第４ステップでサーバ４００は、ネットワーク３００を介して、複数の他の情報通信端末２００のうち、位置情報に対応付けられ他の情報通信端末２００に、所定の情報処理結果と共に前記使用者ＩＤを送信してもよい。
【０１０２】
例えば他の情報通信端末２００が、電動二輪車販売者が使用しているものであれば、電動二輪車販売者は近隣の電動二輪車使用者のバッテリー１３０の交換頻度、走行距離、事故履歴、走行パターンを知ることができる。このような情報は電動二輪車販売者が今後販売すべき製品、行うべきサービスを決定するための有用な情報となりうる。
【０１０３】
また電動二輪車１００の利用者にとっては、上記の情報を近隣の電動二輪車販売店に提供することで、適切なサービスを迅速に受けることができるようになる。
【０１０４】
また以下のような変形を行っても良い。
【０１０５】
第１ステップとして、情報通信端末２００を用いて、非接触通信により、電動二輪車１００の電装ユニット１２０に含まれるＩＣタグ１５０の不揮発性記憶部から所定の情報を読出し、情報通信端末２００に一旦格納する。
【０１０６】
第２ステップとして、情報通信端末２００を用いて、ネットワーク３００を用いた通信により、不揮発性記憶部に読込んだ所定の情報をサーバ４００に送信すると共に、他の情報通信端末２００を用いて、ネットワーク３００を用いた通信により、他の情報通信端末２００の使用者の提供するサービス情報をサーバ４００に送信する。
【０１０７】
第３ステップとしてサーバ４００は、送信された所定の情報に基づいて所定の情報処理を行う。
【０１０８】
第４ステップとしてサーバ４００は、ネットワーク３００を介して、複数の他の情報通信端末２００のうち、使用者ＩＤに対応付けられ他の情報通信端末２００に、所定の情報処理結果と共に、情報処理結果に応じたサービス情報を前記情報通信端末２００に送信する。
【０１０９】
このように、本情報処理システムは、さらに、ネットワーク３００を介してサーバ４００と通信するように構成された他の情報通信端末を備え、他の情報通信端末はネットワーク３００を介して他の情報通信端末の使用者の提供するサービスに関するサービス情報をサーバ４００に送信する。サーバ４００は、所定の処理に応じてサービス情報を情報通信端末２００に送信する。
【０１１０】
これにより電動二輪車１００の利用者にとっては、電動二輪車販売店の提供するサービスを適切且つ迅速に受けることができるようになる。
【０１１１】
なお、第２ステップでは、他の情報通信端末２００の使用者が他の電動二輪車１００の利用者である場合、他の電動二輪車１００の利用者が撮影した写真、各種コメント、および関連する位置情報をサーバ４００に送信し、第３ステップでは、サーバ４００は送信された所定の情報と共に、サーバ４００に格納された地図地形情報などに基づいて所定の情報処理を行なってもよい。
【０１１２】
これにより、例えば電動二輪車１００の利用者がサイクリング中に、他の電動二輪車１００の利用者が過去に撮影した風景写真、感想、推奨情報などを共有可能とするサイクリング愛好家へのコミュニティーを提供することが出来る。
【０１１３】
［第三の実施形態］
以下、本発明の第三の実施形態について図８を用いて説明する。
【０１１４】
図８は、電動二輪車、鍵及び情報通信端末の構成を示す。第三の実施形態のシステム全体の構成のうち電動二輪車１００にＩＣタグ内蔵の鍵１８０が追加される。
【０１１５】
鍵１８０に内蔵されるＩＣタグ１８２は、アンテナ１９０と非接触通信部と接触通信部と不揮発性記憶部を備え、外部から送信される電波を、アンテナ１９０を介して前記非接触通信部で受信することで電力供給可能である。
【０１１６】
このＩＣタグ１８２はホスト部（ホストコントローラ）１４５を内蔵する電装ユニット１２５と接触通信部を介して通信可能である。また電装ユニット１２５はバッテリー１３０によって電力供給が可能である。
【０１１７】
この鍵１８０は、ホスト部１４５がバッテリー１３０から電力が供給されている間に電装ユニット１２５の故障情報又は所定の情報を取得し、前記不揮発性記憶部に前記故障情報又は所定の情報を格納することが可能である。
【０１１８】
電動二輪車１００の使用時の動作、故障診断時の処理、所定の情報処理については実施の形態１及び２と同様である。
【０１１９】
このように、本実施の形態では、電動二輪車の鍵１８０は、ＩＣタグ１８２を備え、ＩＣタグ１８２は、アンテナと非接触通信部と接触通信部と不揮発性記憶部とを備える。ＩＣタグ１８２は、外部から送信される電波を、アンテナを介して非接触通信部で受信することで電力供給を受けるように構成され、電池によって電力供給を受けるように構成されたホストコントローラに内蔵された電装ユニットと接触通信部を介して通信するように構成される。そして、ホストコントローラは、電池から電力が供給されている間に電動二輪車に関する所定の情報を取得し、不揮発性記憶部に所定の情報を格納する。
【０１２０】
これによって、電動二輪車の故障診断を簡便かつ迅速に行うことに好適な電動二輪車の鍵が実現される。
【産業上の利用可能性】
【０１２１】
本発明では、電動二輪車の故障診断を簡便かつ迅速に実現可能なので、例えば、電動二輪車の保守サービスのレベルアップや低コスト化に有用である。
【符号の説明】
【０１２２】
１００  電動二輪車
１２０、１２５  電装ユニット
１３０  バッテリー
１４０、１４５  ホスト部（ホストコントローラ）
１５０、１８２  ＩＣタグ
１６０、１９０  アンテナ
１８０  鍵
２００  情報通信端末
３００  ネットワーク
４００  サーバ
【図１】
2015111395.tif 000003
【図２】
2015111395.tif 000004
【図３】
2015111395.tif 000005
【図４】
2015111395.tif 000006
【図５】
2015111395.tif 000007
【図６】
2015111395.tif 000008
【図７】
2015111395.tif 000009
【図８】
2015111395.tif 000010
【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
電動二輪車と、
前記電動二輪車と非接触で通信するように構成された情報通信端末と、
前記情報通信端末とネットワークを介して通信するように構成されたサーバとを備え、
前記電動二輪車は、
電装ユニットと前記電装ユニットに電力を供給するように構成された電池とを備え、
前記電装ユニットは、ＩＣタグとホストコントローラとを備え、
前記ＩＣタグは、アンテナと非接触通信部と接触通信部と不揮発性記憶部とを備え、前記電動二輪車の外部から送信される電波を、前記アンテナを介して前記非接触通信部で受信することで電力供給を受けるように構成され、
前記ホストコントローラは前記接触通信部を介して前記ＩＣタグと通信するように構成され、前記電動二輪車に関する所定の情報を取得し、前記不揮発性記憶部に前記所定の情報を格納するように構成され、
前記情報通信端末は、前記電動二輪車と非接触で通信することにより、前記電池からの電力供給の有無に関わらず前記所定の情報を取得し、前記ネットワークを介して前記所定の情報を前記サーバに送信するように構成され、
前記サーバは、前記所定の情報に基づいて所定の処理を行う
電動二輪車用の情報処理システム。
【請求項２】
前記サーバは前記所定の処理の結果を前記情報通信端末に送信し、
前記情報通信端末は前記所定の処理の結果に基づく情報を表示する
請求項１に記載の電動二輪車用の情報処理システム。
【請求項３】
前記所定の処理の結果に基づく情報には、電池の交換時期、走行距離、レスキュー要請の要否、走行履歴、走行パターンの分析、前記電動二輪車の故障箇所、故障内容、故障原因、修理方法、車両に関する情報の少なくともいずれか一つに関する情報が含まれる
請求項２に記載の電動二輪車用の情報処理システム。
【請求項４】
前記不揮発性記憶部には、前記電動二輪車を識別するように構成された車体識別と前記電装ユニットを識別するように構成されたユニット識別の少なくともいずれか一方が格納され、
前記情報通信端末は、前記電動二輪車と非接触で通信することにより、前記車体識別又は前記ユニット識別の少なくともいずれか一方を取得し、前記ネットワークを介して前記サーバに送信するように構成され、
前記サーバは、前記車体識別又は前記ユニット識別の少なくともいずれか一方と対応付けて前記所定の情報を前記サーバに格納する
請求項１に記載の電動二輪車用の情報処理システム。
【請求項５】
前記情報通信端末は前記ネットワークを介して前記情報通信端末の使用者を識別するように構成された使用者識別をサーバに送信するように構成され、
前記サーバは、前記使用者識別と対応付けて前記所定の情報を前記サーバに格納する
請求項１に記載の電動二輪車用の情報処理システム。
【請求項６】
前記情報通信端末は前記ネットワークを介して前記情報通信端末の使用者を識別するように構成された使用者識別をサーバに送信するように構成され、
前記サーバは、前記ネットワークを介して、前記使用者識別に対応付けられた他の情報通信端末に、前記所定の処理の結果とともに前記使用者識別を送信する
請求項１に記載の電動二輪車用の情報処理システム。
【請求項７】
前記情報通信端末は前記ネットワークを介して前記情報通信端末の使用者を識別するように構成された使用者識別と前記情報通信端末の位置を特定するように構成された位置情報をサーバに送信するように構成され、
前記サーバは、前記ネットワークを介して、前記位置情報に対応付けられた他の情報通信端末に、前記所定の処理の結果とともに前記使用者識別を送信する
請求項１に記載の電動二輪車用の情報処理システム。
【請求項８】
さらに、前記ネットワークを介して前記サーバと通信するように構成された他の情報通信端末を備え、
前記他の情報通信端末は前記ネットワークを介して前記他の情報通信端末の使用者の提供するサービスに関するサービス情報を前記サーバに送信するように構成され、
前記サーバは、前記所定の処理に応じて前記サービス情報を前記情報通信端末に送信する
請求項１に記載の電動二輪車用の情報処理システム。
【請求項９】
前記電池は、前記電装ユニットの内部に含まれる
請求項１に記載の電動二輪車用の情報処理システム。
【請求項１０】
前記電動二輪車は、さらに、前記電池から電力供給を受ける第２の電装ユニットを備え、
前記第２の電装ユニットは前記ホストコントローラと通信するように構成された第２のホストコントローラを備え、
前記第２のホストコントローラは前記電池から前記第２の電装ユニットに電力が供給されている間に前記第２の電装ユニットに関する第２の所定の情報を取得し、前記ホストコントローラを介して前記不揮発性記憶部に前記第２の所定の情報を格納するように構成され、
前記情報通信端末は、前記電動二輪車と非接触で通信することにより、前記第２の所定の情報を取得し、前記ネットワークを介して前記サーバに送信するように構成され、
前記サーバは、前記第２の所定の情報に基づいて前記電動二輪車の所定の処理を行う
請求項１に記載の電動二輪車用の情報処理システム。
【請求項１１】
請求項１乃至１０のいずれか１項に記載の電動二輪車用の情報処理システムであって、
前記所定の情報は、故障の情報であり、前記所定の処理は故障診断処理であり、前記情報処理システムは故障診断システムである
電動二輪車用の情報処理システム。
【請求項１２】
前記所定の情報は、故障の情報であり、前記所定の処理は故障診断処理であり、前記情報処理システムは故障診断システムであり、
前記サーバは前記故障診断処理の結果に応じて特定された、ソフトウェアプログラムを前記情報通信端末に送信し、前記情報通信端末は非接触通信を介して、前記電動二輪車に発生した故障を修復する
請求項１に記載の電動二輪車用の情報処理システム。
【請求項１３】
請求項１乃至１２のいずれか１項に記載の電動二輪車用の情報処理システムであって、
前記所定の情報は、前記電動二輪車が備えられている機器によって取得された情報である
電動二輪車用の情報処理システム。
【請求項１４】
電装ユニットと前記電装ユニットに電力を供給するように構成された電池とを備える電動二輪車であって、
前記電装ユニットは、ＩＣタグとホストコントローラとを備え、
前記ＩＣタグは、アンテナと非接触通信部と接触通信部と不揮発性記憶部とを備え、外部から送信される電波を、前記アンテナを介して前記非接触通信部で受信することで電力供給を受けるように構成され、
前記ホストコントローラは前記接触通信部を介して前記ＩＣタグと通信するように構成され、前記ホストコントローラは前記電池から前記電装ユニットに電力が供給されている間に前記電動二輪車に関する所定の情報を取得し、前記不揮発性記憶部に前記所定の情報を格納し、
前記不揮発性記憶部に格納された前記所定の情報を、前記電池からの電力供給の有無に関わらず、非接触通信により外部に読出されるように構成された
電動二輪車。
【請求項１５】
電池によって電力供給するように構成された電装ユニットであって、
ＩＣタグとホストコントローラとを備え、
前記ＩＣタグは、アンテナと非接触通信部と接触通信部と不揮発性記憶部とを備え、外部から送信される電波を、前記アンテナを介して前記非接触通信部で受信することで電力供給を受けるように構成され、
前記ホストコントローラは前記接触通信部を介して前記ＩＣタグと通信するように構成され、前記ホストコントローラは前記電池から電力が供給されている間に前記電送ユニットに関する所定の情報を取得し、前記不揮発性記憶部に前記所定の情報を格納し、
前記不揮発性記憶部に格納された前記所定の情報を、前記電池からの電力供給の有無に関わらず、非接触通信により外部に読出されるように構成された
電装ユニット。
【請求項１６】
電動二輪車用の鍵であって、
ＩＣタグを備え、
前記ＩＣタグは、アンテナと非接触通信部と接触通信部と不揮発性記憶部とを備え、
前記ＩＣタグは、外部から送信される電波を、前記アンテナを介して前記非接触通信部で受信することで電力供給を受けるように構成され、電池によって電力供給を受けるように構成されたホストコントローラに内蔵された電装ユニットと前記接触通信部を介して通信するように構成され、
前記ホストコントローラは、前記電池から電力が供給されている間に前記電動二輪車に関する所定の情報を取得し、前記不揮発性記憶部に前記所定の情報を格納し、
前記不揮発性記憶部に格納された前記所定の情報を、前記電池からの電力供給の有無に関わらず、非接触通信により外部に読出されるように構成された
電動二輪車用の鍵。
【請求項１７】
電動二輪車と、
前記電動二輪車と非接触で通信するように構成された情報通信端末と、
前記情報通信端末とネットワークを介して通信するように構成されたサーバとを備え、
前記電動二輪車は、
電装ユニットと前記電装ユニットに電力を供給するように構成された電池とを備え、
前記電装ユニットは、ＩＣタグとホストコントローラとを備え、
前記ＩＣタグは、アンテナと非接触通信部と接触通信部と不揮発性記憶部とを備え、前記電動二輪車の外部から送信される電波を、前記アンテナを介して前記非接触通信部で受信することで電力供給を受けるように構成され、
前記ホストコントローラは前記接触通信部を介して前記ＩＣタグと通信するように構成され、前記電動二輪車の故障に関する情報を取得し、前記不揮発性記憶部に前記故障に関する情報を格納するように構成され、
前記情報通信端末は、前記電動二輪車と非接触で通信することにより、前記電池からの電力供給の有無に関わらず前記故障に関する情報を取得し、前記ネットワークを介して前記故障に関する情報を前記サーバに送信するように構成され、
前記サーバは、前記故障に関する情報に基づいて故障診断処理を行う
電動二輪車用の故障診断システム。
【請求項１８】
前記サーバは、前記故障診断処理の結果に応じて特定された、ソフトウェアプログラムを前記情報通信端末に送信し、前記情報通信端末は非接触通信を介して、前記電動二輪車に発生した故障を修復する
請求項１７に記載の電動二輪車用の故障診断システム。
【手続補正２】
【補正対象書類名】明細書
【補正対象項目名】０００６
【補正方法】変更
【補正の内容】
【０００６】
そこで、本発明の一態様にかかる電動二輪車用の故障診断システムあるいは情報処理システムは、電動二輪車と、前記電動二輪車と非接触で通信するように構成された情報通信端末と、前記情報通信端末とネットワークを介して通信するように構成されたサーバとを備え、前記電動二輪車は、電装ユニットと前記電装ユニットに電力を供給するように構成された電池とを備え、前記電装ユニットは、ＩＣタグとホストコントローラとを備え、前記ＩＣタグは、アンテナと非接触通信部と接触通信部と不揮発性記憶部とを備え、前記電動二輪車の外部から送信される電波を、前記アンテナを介して前記非接触通信部で受信することで電力供給を受けるように構成され、前記ホストコントローラは前記接触通信部を介して前記ＩＣタグと通信するように構成され、前記電動二輪車に関する所定の情報を取得し、前記不揮発性記憶部に前記所定の情報を格納するように構成され、前記情報通信端末は、前記電動二輪車と非接触で通信することにより、前記電池からの電力供給の有無に関わらず前記所定の情報を取得し、前記ネットワークを介して前記所定の情報を前記サーバに送信するように構成され、前記サーバは、前記所定の情報に基づいて所定の処理を行うように構成されている。
【手続補正３】
【補正対象書類名】明細書
【補正対象項目名】０００７
【補正方法】変更
【補正の内容】
【０００７】
また、本発明の一態様にかかる電動二輪車は、電装ユニットと前記電装ユニットに電力を供給するように構成された電池とを備える電動二輪車であって、前記電装ユニットは、ＩＣタグとホストコントローラとを備え、前記ＩＣタグは、アンテナと非接触通信部と接触通信部と不揮発性記憶部とを備え、外部から送信される電波を、前記アンテナを介して前記非接触通信部で受信することで電力供給を受けるように構成され、前記ホストコントローラは前記接触通信部を介して前記ＩＣタグと通信するように構成され、前記ホストコントローラは前記電池から前記電装ユニットに電力が供給されている間に前記電動二輪車に関する所定の情報を取得し、前記不揮発性記憶部に前記所定の情報を格納し、前記不揮発性記憶部に格納された前記所定の情報を、前記電池からの電力供給の有無に関わらず、非接触通信により外部に読出されるように構成されている。
【手続補正４】
【補正対象書類名】明細書
【補正対象項目名】０００８
【補正方法】変更
【補正の内容】
【０００８】
また、本発明の一態様にかかる電装ユニットは、電池によって電力供給するように構成された電装ユニットであって、ＩＣタグとホストコントローラとを備え、前記ＩＣタグは、アンテナと非接触通信部と接触通信部と不揮発性記憶部とを備え、外部から送信される電波を、前記アンテナを介して前記非接触通信部で受信することで電力供給を受けるように構成され、前記ホストコントローラは前記接触通信部を介して前記ＩＣタグと通信するように構成され、前記ホストコントローラは前記電池から電力が供給されている間に前記電送ユニットに関する所定の情報を取得し、前記不揮発性記憶部に前記所定の情報を格納し、前記不揮発性記憶部に格納された前記所定の情報を、前記電池からの電力供給の有無に関わらず、非接触通信により外部に読出されるように構成されている。
【手続補正５】
【補正対象書類名】明細書
【補正対象項目名】０００９
【補正方法】変更
【補正の内容】
【０００９】
また、本発明の一態様にかかる電動二輪車用の鍵は、電動二輪車用の鍵であって、ＩＣタグを備え、前記ＩＣタグは、アンテナと非接触通信部と接触通信部と不揮発性記憶部とを備え、前記ＩＣタグは、外部から送信される電波を、前記アンテナを介して前記非接触通信部で受信することで電力供給を受けるように構成され、電池によって電力供給を受けるように構成されたホストコントローラに内蔵された電装ユニットと前記接触通信部を介して通信するように構成され、前記ホストコントローラは、前記電池から電力が供給されている間に前記電動二輪車に関する所定の情報を取得し、前記不揮発性記憶部に前記所定の情報を格納し、前記不揮発性記憶部に格納された前記所定の情報を、前記電池からの電力供給の有無に関わらず、非接触通信により外部に読出されるように構成されている。
【国際調査報告】
2015111395.tif 000011
2015111395.tif 000012